(57)【要約】【課題】部品点数を減らすことができる遮光部材および照明装置を提供すること。【解決手段】実施形態に係る遮光部材は、複数の遮光部と、連結部とを備える。複数の遮光部は、照明装置の照射面に対して交差する方向に延在する遮光面を有し、照射面の面方向に沿って所定の間隔で並列する。連結部は、複数の遮光部と一体であり、複数の遮光部を連結する。【選択図】図３
2020107452.tif 000002
【特許請求の範囲】
【請求項１】
照明装置の照射面に対して交差する方向に延在する遮光面を有し、前記照射面の面方向に沿って所定の間隔で並列する複数の遮光部と、
前記複数の遮光部と一体であり、前記複数の遮光部を連結する連結部と、を備える遮光部材。
【請求項２】
前記連結部は、
前記面方向において、前記複数の遮光部に対して外側に配置され、前記照明装置に固定される外周部を有する、請求項１に記載の遮光部材。
【請求項３】
前記複数の遮光部および前記連結部の連結箇所は、屈曲している、請求項１または２に記載の遮光部材。
【請求項４】
前記複数の遮光部それぞれは、
前記面方向に向かって湾曲している、請求項１〜３のいずれか１つに記載の遮光部材。
【請求項５】
前記複数の遮光部は、
前記面方向に向かって同心円状に並列する、請求項４に記載の遮光部材。
【請求項６】
それぞれに前記複数の遮光部および前記連結部が含まれる複数の分割部材を備え、
前記複数の分割部材は、
前記面方向で円状に配置される、請求項４または５に記載の遮光部材。
【請求項７】
前記連結部は、
円状に配置された前記複数の分割部材の外周となる外周部と、
前記複数の分割部材それぞれを互いに固定する固定部とを有する、請求項６に記載の遮光部材。
【請求項８】
前記複数の遮光部は、
側面視で第１方向に突出し、
前記固定部は、
前記第１方向とは反対方向である第２方向に突出する、請求項７に記載の遮光部材。
【請求項９】
前記複数の遮光部は、
前記面方向で所定の方向に延在する平板状である、請求項１〜３のいずれか１つに記載の遮光部材。
【請求項１０】
第１の延在方向に延在する平板状の前記遮光部である第１遮光部と、
第２の延在方向に延在し、前記第１遮光部と交差する平板状の前記遮光部である第２遮光部と、を備える請求項９に記載の遮光部材。
【請求項１１】
前記第１遮光部および前記第２遮光部のうち少なくとも一方の遮光部は、他方の遮光部に係合する係合部を有する、請求項１０に記載の遮光部材。
【請求項１２】
光源と、
前記光源に対して光の出射方向に配置される遮光部材とを備え、
前記遮光部材は、
前記光源に対して交差する方向に延在する遮光面を有し、照射面の面方向に沿って所定の間隔で並列する複数の遮光部と、
前記複数の遮光部と一体であり、前記複数の遮光部を連結する連結部とを備える、照明装置。
【発明の詳細な説明】
【技術分野】
【０００１】
本発明は、遮光部材および照明装置に関する。
【背景技術】
【０００２】
従来、照明装置において、意図した照射範囲以外に漏れる光は、グレアとしてユーザに不快感を与えてしまう場合がある。このグレアの対策として、照明装置の照射面の前面にルーバ等の遮光部材を配置することで、意図した照射範囲以外に漏れる光を遮光する技術が提案されている。
【先行技術文献】
【特許文献】
【０００３】
【特許文献１】特開平６−１５０７１０号公報
【発明の概要】
【発明が解決しようとする課題】
【０００４】
しかしながら、従来の遮光部材は、遮光面となる部材を複数組み合わせて製造するため、部品点数が嵩んでしまう。
【０００５】
本発明は、上記に鑑みてなされたものであって、部品点数を減らすことができる遮光部材および照明装置を提供することを目的とする。
【課題を解決するための手段】
【０００６】
上述した課題を解決し、目的を達成するために、本発明の一態様に係る遮光部材は、複数の遮光部と、連結部とを備える。前記複数の遮光部は、照明装置の照射面に対して交差する方向に延在する遮光面を有し、前記照射面の面方向に沿って所定の間隔で並列する。前記連結部は、前記複数の遮光部と一体であり、前記複数の遮光部を連結する。
【０００７】
本発明の一態様によれば、部品点数を減らすことができる。
【図面の簡単な説明】
【０００８】
【図１】図１は、第１の実施形態に係る遮光部材を備えた照明装置の斜視図である。
【図２】図２は、第１の実施形態に係る本体部の分解斜視図である。
【図３】図３は、第１の実施形態に係る分割部材の斜視図である。
【図４】図４は、第１の実施形態に係る分割部材の上面図である。
【図５】図５は、第１の実施形態に係る分割部材の断面図である。
【図６】図６は、第１の実施形態に係る分割部材の斜視図である。
【図７】図７は、第１の実施形態に係る遮光部材のカットオフ特性を説明するための図である。
【図８】図８は、第１の実施形態に係る遮光部材のカットオフ特性を説明するための図である。
【図９】図９は、第１の実施形態に係る分割部材の製造方法を示す図である。
【図１０】図１０は、第２の実施形態に係る照明装置の斜視図である。
【図１１】図１１は、第２の実施形態に係る照明装置の分解斜視図である。
【図１２】図１２は、第２の実施形態に係る遮光部材の上面図である。
【図１３】図１３は、第２の実施形態に係る分割部材の斜視図である。
【図１４】図１４は、第２の実施形態に係る分割部材の上面図である。
【図１５】図１５は、第２の実施形態に係る分割部材の側面図である。
【図１６】図１６は、第２の実施形態に係る分割部材の側面図である。
【図１７】図１７は、第２の実施形態に係る分割部材の製造方法を示す図である。
【図１８】図１８は、第２の実施形態に係る第１分割部材および第２分割部材の係合方法について説明するための図である。
【図１９】図１９は、第２の実施形態に係る遮光部材のカットオフ特性を説明するための図である。
【図２０】図２０は、第２の実施形態に係る遮光部材のカットオフ特性を説明するための図である。
【発明を実施するための形態】
【０００９】
以下、実施形態に係る遮光部材および照明装置について図面を参照して説明する。なお、以下に示す実施形態によりこの発明が限定されるものではない。また、図面における各要素の寸法の関係、各要素の比率等は、現実と異なる場合がある。また、図面の相互間においても、互いの寸法の関係や比率が異なる部分が含まれている場合がある。
【００１０】
また、図１〜図９では、第１の実施形態に係る遮光部材について示し、図１０〜図２０では、第２の実施形態に係る遮光部材について示す。
【００１１】
まず、図１〜図９を用いて、第１の実施形態に係る遮光部材について説明する。図１は、第１の実施形態に係る遮光部材を備えた照明装置の斜視図である。図１に示す照明装置１は、特定の照射対象を集中的に照射する照明装置、いわゆるスポットライトである。なお、照明装置１は、スポットライトに限定されず、ダウンライト等であってもよい。
【００１２】
図１に示すように、第１の実施形態に係る照明装置１は、電源部２と、本体部３と、第１調整部４と、第２調整部５とを備える。
【００１３】
電源部２は、例えば、室内の天井に設置されたライティングレール等に固定されるとともに、外部電源に接続される。また、電源部２は、照明装置１の配光や照射位置を制御する図示しない制御回路を備える。かかる制御回路は、例えば、ユーザ端末による遠隔操作を受け付けて、照明装置１の配光や照射位置を制御する。
【００１４】
第１調整部４は、図示しないモータを備え、上記した制御回路からの制御指示に基づいてかかるモータを駆動することで、本体部３のチルト角（床面に対して上下方向）を調整する。第２調整部５は、図示しないモータを備え、上記した制御回路からの制御指示に基づいてかかるモータを駆動することで、本体部３のパン角（床面に対して左右方向）を調整する。
【００１５】
本体部３は、電源部２から供給される電力により後述の光源３２（図２参照）を点灯駆動することで、光を出射する。具体的には、本体部３は、光源３２から出射された光が後述のレンズ３４（図２参照）を通過することで、レンズ３４の出射面に対応する照射面１００から光を出射することで、照射対象を照射する。また、図１に示すように、本体部３は、照射面１００の前面に配置される遮光部材３６を備える。
【００１６】
遮光部材３６は、照射面１００から照射される光の一部を遮光する。具体的には、遮光部材３６は、後述する複数の遮光部３６１（図３参照）がルーバ構造により、所定の照射範囲以外に漏れる光を遮光する。これにより、特定の照射範囲が集中的に照射可能となるとともに、漏れ光を抑制することで、グレアによるユーザの不快感を軽減できる。
【００１７】
ここで、従来の遮光部材は、ルーバを構成する複数の遮光部が別々の部品として構成されていたため、部品点数が嵩んでしまう。また、部品点数が多いと、部品点数の分だけ製造工程が必要となるため、製造コストが嵩むおそれもあった。
【００１８】
そこで、第１の実施形態に係る遮光部材３６は、後述の複数の遮光部３６１（図３参照）を１つの部品で構成可能とした。すなわち、第１の実施形態に係る遮光部材３６によれば、部品点数を減らすことができる。
【００１９】
また、第１の実施形態に係る遮光部材３６は、１つの部品を折り曲げ加工することで、製造可能に構成されるため、製造工程が簡易になり、製造コストが嵩むことを抑えることができる。なお、第１の実施形態に係る遮光部材３６の製造方法については、図９で後述する。
【００２０】
以下、図２〜図９を用いて、第１の実施形態に係る遮光部材３６について詳細に説明する。まず、図２を用いて、第１の実施形態に係る遮光部材３６を備える本体部３について詳細に説明する。図２は、第１の実施形態に係る本体部３の分解斜視図である。
【００２１】
図２に示すように、本体部３は、筐体ユニット３１と、光源３２と、リフレクタ３３と、レンズ３４と、保護部材３５と、遮光部材３６と、カバー３７とを備える。
【００２２】
筐体ユニット３１は、光源３２と、リフレクタ３３と、レンズ３４と、保護部材３５と、遮光部材３６と、カバー３７とを収容する筐体である。また、筐体ユニット３１は、カバー３７とは反対側の位置に放熱部材を備える。かかる放熱部材は、光源３２の点灯駆動に伴って発生する熱を吸収し、外部へ放熱する。
【００２３】
また、筐体ユニット３１は、電源部２の制御回路からの制御指示に基づいて図示しないモータを駆動することでレンズ３４を移動させ、レンズ３４および光源３２の間の距離を調整する図示しない調整機構を備える。かかる調整機構によりレンズ３４および光源３２の間の距離を調整することで、照射面１００から出射される光の配光角を調整することができる。
【００２４】
光源３２は、例えば、点状光源として構成されるＬＥＤ（Light  Emitting  Diode）である。なお、光源３２が出射する光の色は、白色や、赤、青、緑等の任意の色を採用可能であり、あるいは、白、赤、青および緑を混色することで表現可能な任意の色を採用可能である。
【００２５】
リフレクタ３３は、光源３２の光を反射する反射部材である。リフレクタ３３は、光源３２に対応する中央位置が貫通した貫通孔を有し、レンズ３４側の端部から貫通孔に向かって凹んだ形状で形成される。これにより、光源３２の光を集光してレンズ３４へ出射することができる。
【００２６】
レンズ３４は、光源３２から出射される光の配光を制御する光学部材であり、例えば、フレネルレンズを採用可能である。なお、上述したように、レンズ３４は、図示しない調整機構により、光源３２とレンズ３４との間の距離を調整することで、任意の配光角に調整可能である。
【００２７】
保護部材３５は、レンズ３４を覆ってレンズ３４を保護する保護部材である。これにより、例えば、塵や埃等がレンズ３４に付着してレンズ３４の表面が傷つくことを抑制できる。また、保護部材３５は、遮光部材３６およびレンズ３４の間に配置される。これにより、遮光部材３６がレンズ３４に接触することを防止できるため、レンズ３４の表面が傷つくことを防止できる。
【００２８】
遮光部材３６は、レンズ３４により配光制御された光のうち、所定の配光角以上に広がる光を遮光（カットオフ）する。具体的には、遮光部材３６は、照射面１００（レンズ３４の出射面）に対して交差する方向に延在する遮光面を有する遮光部３６１（図３参照）を有し、かかる遮光面により光を遮光する。
【００２９】
これにより、意図した照射範囲以外の光がグレアとなることを抑制できる。なお、第１の実施形態に係る遮光部材３６は、複数の遮光部３６１を含む複数の分割部材３６０が円状に配置された構成であるが、かかる分割部材３６０の詳細については、図３〜図６で後述する。
【００３０】
カバー３７は、レンズ３４、保護部材３５および遮光部材３６を本体部３に固定する固定部材である。具体的には、カバー３７は、レンズ３４、保護部材３５および遮光部材３６を本体部３に押しつけた状態で、ネジ等の締結具３８により締結することで固定する。
【００３１】
次に、図３〜図６を用いて、第１の実施形態に係る遮光部材３６が備える分割部材３６０について詳細に説明する。図３は、第１の実施形態に係る分割部材３６０の斜視図である。図４は、第１の実施形態に係る分割部材３６０の上面図である。図５は、第１の実施形態に係る分割部材３６０の断面図である。図６は、第１の実施形態に係る遮光部材３６の上面図である。なお、図５に示す断面図は、図３のＡ−Ａ線で分割部材３６０を切断した側面視の断面図である。
【００３２】
図３に示すように、分割部材３６０は、複数の遮光部３６１と、連結部３６２とを備える。複数の遮光部３６１は、照明装置１の照射面１００に対して交差（例えば、直交）する方向に延在する遮光面３６１ａを有し、照射面１００の面方向に沿って所定の間隔で並列する。また、図３に示すように、遮光部３６１は、面方向に向かって湾曲している。
【００３３】
連結部３６２は、複数の遮光部３６１と一体であり、複数の遮光部３６１を連結する。つまり、複数の遮光部３６１および連結部３６２は、１つの板状部材により実現される。また、図３に示すように、連結部３６２は、固定部３６２ａと、外周部３６２ｂとを備える。
【００３４】
固定部３６２ａは、複数の遮光部３６１の両端に配置され、複数の遮光部３６１を連結する。また、固定部３６２ａは、複数の分割部材３６０を円状に配置して第１の実施形態に係る遮光部材３６を構成する場合に、複数の分割部材３６０それぞれを互いに固定する。なお、固定部３６２ａによる分割部材３６０の詳細な固定方法については図６で後述する。
【００３５】
また、遮光部３６１および固定部３６２ａの連結箇所ＣＰは、屈曲している。具体的には、図３に示すように、連結箇所ＣＰにおいて、遮光部３６１側および固定部３６２ａ側の２箇所が屈曲している。つまり、遮光部３６１および固定部３６２ａは、折り曲げ加工により形成されるが、かかる点については図９で後述する。
【００３６】
外周部３６２ｂは、照射面１００の面方向において、複数の遮光部３６１に対して外側に配置され、複数の遮光部３６１と同心円状に配置される。なお、外周部３６２ｂは、複数の分割部材３６０が円状に配置された場合に、円状となる複数の分割部材３６０の外周を構成するが、かかる点については図６で後述する。
【００３７】
また、外周部３６２ｂは、照明装置１に固定される部位である。具体的には、外周部３６２ｂは、一方の主面が筐体ユニット３１側の周端と当接し、他方の主面がカバー３７と当接して固定される。つまり、分割部材３６０は、外周部３６２ｂが筐体ユニット３１およびカバー３７に挟持されることで、固定される。
【００３８】
また、図４に示すように、分割部材３６０は、上面視で略扇形である。また、複数の遮光部３６１は、扇形における図示しない中心に対して同心円状に所定の間隔で並列している。また、固定部３６２ａは、複数の遮光部３６１の両端に配置されるとともに、扇形における直線の２辺に対応する。また、外周部３６２ｂは、複数の遮光部３６１よりも外側に配置され、扇形における円弧の辺に対応する。
【００３９】
また、図５に示すように、複数の遮光部３６１は、外周部３６２ｂに対してレンズ３４側である第１方向に突出する。また、固定部３６２ａは、外周部３６２ｂに対してカバー３７側である第２方向に突出する。つまり、固定部３６２ａは、遮光部３６１の突出方向である第１方向とは反対側である第２方向に突出する。換言すれば、折り曲げ加工する場合に、遮光部３６１および固定部３６２ａは、折り曲げ方向が逆向きとなる。
【００４０】
また、複数の遮光部３６１の高さＨ１および間隔Ｗは、必要となる光のカットオフ角度αに基づいて決定される。例えば、遮光部３６１の高さＨ１を高くするほど、または、間隔Ｗを狭くするほど、カットオフ角度αは、大きくなる、すなわち、光の照射範囲を狭めることができる。一方、遮光部３６１の高さＨ１を低くするほど、または、間隔Ｗを広くするほど、カットオフ角度αは、小さくなる、すなわち、光の照射範囲を広めることができる。
【００４１】
また、固定部３６２ａの高さＨ２は、固定部３６２ａに向かう光の図示しないカットオフ角度に基づいて決定される。例えば、固定部３６２ａの高さＨ２を高くするほど、カットオフ角度は、大きくなり、固定部３６２ａの高さＨ２を低くするほど、カットオフ角度は、小さくなる。
【００４２】
また、遮光部３６１の照射面に対する角度γは、垂直に限らず、照明装置１の配光特性に応じて任意の角度に設定することも可能である。照明装置１の配光特性は、例えば、光源３２やレンズ３４、リフレクタ３３の特性によって調整可能であり、配光特性に応じて、遮光部３６１の照射面に対する角度γを変更することで、遮光される光量、すなわち照射される光量を自由に調整することも可能である。なお、遮光部３６１の照射面に対する角度γは、一つの遮光部材３６中において、それぞれ異なる角度γをもつ遮光部３６１を有していてもよい。
【００４３】
次に、図６を用いて、遮光部材３６を構成する複数の分割部材３６０の配置例について説明する。図６に示すように、遮光部材３６は、複数の分割部材３６０が照射面１００の面方向において、円状に配置される。
【００４４】
具体的には、複数の分割部材３６０それぞれは、固定部３６２ａ同士を連結することで固定される。つまり、遮光部材３６は、扇形の分割部材３６０における直線の２辺を連結して円状となる。
【００４５】
図６に示す例では、隣接する２つの分割部材３６０−１，３６０−２は、それぞれの固定部３６２ａ−１，３６２ａ−２の主面が当接して連結される。なお、固定部３６２ａ−１，３６２ａ−２の間に接着部材を塗布してもよい。
【００４６】
また、図６に示すように、分割部材３６０−１，３６０−２の遮光部３６１−１，３６１−２は、略円状となる位置で繋がり、また、外周部３６２ｂ−１，３６２ｂ−２も同様に、略円状となる位置で繋がる。そして、外周部３６２ｂ−１，３６２ｂ−２は、円状に繋がることで、遮光部材３６の外周となる。
【００４７】
また、図６に示すように、円状の遮光部材３６の中心付近である中心領域は、光源３２の直上に対応しており、遮光部３６１が存在しない略円形の領域となっている。つまり、中心領域では、光源３２の光の入射角度が比較的垂直に近いため、遮光部３６１による光の遮光を必要としない。これにより、光の不要な遮光を防ぐことができるため、照射される光量の低下を抑えることができる。
【００４８】
次に、図７および図８を用いて、第１の実施形態に係る遮光部材３６のカットオフ特性について説明する。図７および図８は、第１の実施形態に係る遮光部材３６のカットオフ特性を説明するための図である。図７および図８では、遮光部材３６における複数の分割部材３６０ａ〜３６０ｆを異なる方向から見た斜視図を示している。
【００４９】
具体的には、図７では、複数の分割部材３６０ａ〜３６０ｆのうち、２つの分割部材３６０ｅ，３６０ｄが紙面手前となる位置から見た斜視図を示し、図８では、１つの分割部材３６０ｆが紙面手前となる位置から見た斜視図を示す。
【００５０】
図７に示す方向から見た場合、２つの分割部材３６０ｅ，３６０ｄについては、遮光部３６１により照射面１００が隠れる。また、２つの分割部材３６０ｅ，３６０ｄとは反対側に配置された２つの分割部材３６０ａ，３６０ｂについても同様に、遮光部３６１により照射面１００が隠れる。つまり、図７に示す方向から見た場合、４つの分割部材３６０ａ，３６０ｂ，３６０ｅ，３６０ｄの位置に対応する照射面１００の光は、遮光される。
【００５１】
一方、残りの２つの分割部材３６０ｃ，３６０ｆについては、照射面１００の一部が遮光部３６１により隠れずに見えている。つまり、図７に示す方向から見た場合、２つの分割部材３６０ｃ，３６０ｆの位置に対応する照射面１００の光の一部は、遮光されない。
【００５２】
また、図８に示す方向から見た場合、２つの分割部材３６０ｃ，３６０ｆについては、遮光部３６１により照射面１００が隠れる。つまり、図８に示す方向から見た場合、２つの分割部材３６０ｃ，３６０ｆの位置に対応する照射面１００の光は、遮光される。
【００５３】
一方、４つの分割部材３６０ａ，３６０ｂ，３６０ｅ，３６０ｄについては、照射面１００の一部が遮光部３６１により隠れずに見えている。つまり、図８に示す方向から見た場合、４つの分割部材３６０ａ，３６０ｂ，３６０ｅ，３６０ｄの位置に対応する照射面１００の光の一部は、遮光されない。
【００５４】
図７および図８に示したように、第１の実施形態に係る遮光部材３６は、照射面１００の光を部分的に遮光するため、滑らかなカットオフ特性となる。換言すれば、第１の実施形態に係る遮光部材３６は、照射範囲の境界をぼかして照射することができる。
【００５５】
次に、図９を用いて、第１の実施形態に係る分割部材３６０の製造方法について説明する。図９は、第１の実施形態に係る分割部材３６０の製造方法を示す図である。なお、図９の上段には、分割部材３６０の製造前である展開図を示している。なお、図９の上段に示す展開図の部材は、例えば、一枚の板金部材を切り抜いて製造されてもよく、あるいは、金型により製造されてもよい。
【００５６】
第１の実施形態に係る分割部材３６０は、図９の上段に示す展開図の部材を折り線Ａおよび折り線Ｂに沿って折り曲げ加工することで製造される。
【００５７】
具体的には、第１の実施形態に係る分割部材３６０は、折り線Ａに沿って谷折りすることで、固定部３６２ａを形成する。また、第１の実施形態に係る分割部材３６０は、折り線Ｂに沿って山折りすることで、複数の遮光部３６１を形成する。なお、折り線Ａおよび折り線Ｂのいずれを先に折り曲げてもよい。このように、遮光部３６１を折り曲げ加工により製造すると、図５に示す遮光部３６１の照射面に対する角度γの変更が容易に可能となる。
【００５８】
なお、第１の実施形態に係る分割部材３６０の製造方法は、折り曲げ加工して製造する方法に限らず、例えば、金型により製造してもよい。
【００５９】
次に、図１０〜図２０を用いて、第２の実施形態に係る遮光部材３６について説明する。なお、第２の実施形態では、第１の実施形態の構成との違いを中心に説明し、第１の実施形態と同様の構成については同様の符号を付して、その記載を省略する場合がある。
【００６０】
まず、図１０および図１１を用いて、第２の実施形態に係る遮光部材３６を備えた照明装置１に説明する。図１０は、第２の実施形態に係る照明装置１の斜視図である。図１１は、第２の実施形態に係る照明装置１の分解斜視図である。
【００６１】
図１０に示すように、第２の実施形態に係る遮光部材３６は、複数の遮光部３６１が格子状に配置される点で、第１の実施形態に係る遮光部材３６とは異なる。具体的には、第２の実施形態に係る遮光部材３６は、照射面１００の面方向で所定の方向に延在する平板状である。
【００６２】
より具体的には、図１１に示すように、第２の実施形態に係る遮光部材３６は、第１分割部材３６０−１と、第２分割部材３６０−２とが積層されて構成される。第１分割部材３６０−１は、第１の延在方向に延在する平板状の遮光部３６１−１（以下、第１遮光部３６１−１と記載する）を備える。また、第２分割部材３６０−２は、第２の延在方向に延在する平板状の遮光部３６１−２（以下、第２遮光部３６１−２と記載する）を備える。
【００６３】
第１分割部材３６０−１および第２分割部材３６０−２は、例えば、同一形状の部材を採用可能である。そして、第１分割部材３６０−１および第２分割部材３６０−２は、第１遮光部３６１−１および第２遮光部３６１−２が交差するように回転位置をずらして積層される。
【００６４】
図１２は、第２の実施形態に係る遮光部材３６の上面図である。図１２に示すように、第１分割部材３６０−１および第２分割部材３６０−２は、第１遮光部３６１−１および第２遮光部３６１−２が直交するように配置される。つまり、第１遮光部３６１−１および第２遮光部３６１−２は、格子状に配置される。なお、第１遮光部３６１−１および第２遮光部３６１−２は、直交して配置される場合に限定されず、照明装置１の配光特性や要求される照射範囲に応じて任意の交差角度で交差可能である。なお、第１分割部材３６０−１および第２分割部材３６０−２を特に区別しない場合、分割部材３６０と記載する場合がある。
【００６５】
次に、図１３〜図１７を用いて、第２の実施形態に係る分割部材３６０について詳細に説明する。図１３は、第２の実施形態に係る分割部材３６０の斜視図である。図１４は、第２の実施形態に係る分割部材３６０の上面図である。図１５および図１６は、第２の実施形態に係る分割部材３６０の側面図である。なお、図１５では、遮光部３６１に対して交差する方向に見た側面図を示し、図１６では、遮光部３６１の延在方向に見た側面図を示す。図１７は、第２の実施形態に係る分割部材３６０の製造方法を示す図である。
【００６６】
図１３に示すように、第２の実施形態に係る分割部材３６０は、複数の遮光部３６１と、連結部３６２とを備える。複数の遮光部３６１は、照明装置１の照射面１００に対して交差する方向に延在する遮光面３６１ａを有し、照射面１００の面方向に沿って所定の間隔で並列する。具体的には、複数の遮光部３６１は、面方向で所定の方向に延在する平板状である。
【００６７】
連結部３６２は、複数の遮光部３６１と一体であり、複数の遮光部３６１を連結する。つまり、複数の遮光部３６１および連結部３６２は、１つの板状部材により実現される。
【００６８】
また、図１４に示すように、複数の遮光部３６１は、延在方向に対して直交する並列方向で並列する。具体的には、複数の遮光部３６１は、並列方向で中心に近いほど延在方向の長さが長くなるように並列する。
【００６９】
また、図１５に示すように、遮光部３６１は、連結部３６２に対して第１の方向へ向かって突出する第１突出部３６１１と、連結部３６２に対して第２の方向へ向かって突出する第２突出部３６１２とを備える。つまり、遮光部３６１は、側面視において、連結部３６２に対して両側に突出して配置される。
【００７０】
また、図１５に示すように、第１突出部３６１１および第２突出部３６１２は、側面視で凹凸形状を有する。また、第１突出部３６１１は、凹凸形状のうち、凸部にスリット３６１１ａ（係合部の一例）が形成される。スリット３６１１ａは、第１分割部材３６０−１および第２分割部材３６０−２のうち、少なくとも一方の分割部材３６０における遮光部３６１に形成され、他方の分割部材３６０が係合する。なお、スリット３６１１ａの係合については、図１８で後述する。
【００７１】
また、図１６に示すように、複数の遮光部３６１の高さＨおよび間隔Ｗは、必要となる光のカットオフ角度βに基づいて決定される。例えば、遮光部３６１の高さＨを高くするほど、または、間隔Ｗを狭くするほど、カットオフ角度βは、大きくなる、すなわち、光の照射範囲を狭めることができる。一方、遮光部３６１の高さＨを低くするほど、または、間隔Ｗを広くするほど、カットオフ角度βは、小さくなる、すなわち、光の照射範囲を広めることができる。
【００７２】
また、遮光部３６１の照射面に対する角度γは、垂直に限らず、照明装置１の配光特性に応じて任意の角度に設定することも可能である。照明装置１の配光特性は、例えば、光源３２やレンズ３４、リフレクタ３３の特性によって調整可能であり、配光特性に応じて、遮光部３６１の照射面に対する角度γを変更することで、遮光される光量、すなわち照射される光量を自由に調整することも可能である。なお、遮光部３６１の照射面に対する角度γは、一つの遮光部材３６中において、それぞれ異なる角度γをもつ遮光部３６１を有していてもよい。
【００７３】
次に、図１７を用いて、第２の実施形態に係る分割部材３６０の製造方法について説明する。なお、図１７の上段には、分割部材３６０の製造前である展開図を示している。なお、図１７の上段に示す展開図の部材は、例えば、一枚の板金部材を切り抜いて製造されてもよく、あるいは、金型により製造されてもよい。
【００７４】
第２の実施形態に係る分割部材３６０は、図１７の上段に示す展開図の部材を折り線Ｃに沿って折り曲げ加工することで製造される。
【００７５】
具体的には、第２の実施形態に係る分割部材３６０は、折り線Ｃに沿って谷折りすることで、遮光部３６１を形成する。より具体的には、第２の実施形態に係る分割部材３６０は、折り線Ｃに沿って谷折りすることで、第１突出部３６１１および第２突出部３６１２を形成する。このように、遮光部３６１を折り曲げ加工により製造すると、図１６に示す遮光部３６１の照射面に対する角度γの変更が容易に可能となる。
【００７６】
次に、図１８を用いて、第２の実施形態に係る第１分割部材３６０−１および第２分割部材３６０−２の係合方法について説明する。図１８は、第２の実施形態に係る第１分割部材３６０−１および第２分割部材３６０−２の係合方法について説明するための図である。図１８では、第１分割部材３６０−１および第２分割部材３６０−２それぞれの第１突出部３６１１−１，３６１１−２にスリット３６１１ａ−１，３６１１ａ−２が形成されていることとする。
【００７７】
図１８の上段に示すように、まず、第１分割部材３６０−１および第２分割部材３６０−２について、第１突出部３６１１−１，３６１１−２同士が向かい合うように配置する。
【００７８】
そして、第１分割部材３６０−１および第２分割部材３６０−２を積層する際に、それぞれの第１突出部３６１１−１，３６１１−２に設けられたスリット３６１１ａ−１，３６１１ａ−２同士が係合するように積層する。これにより、第１遮光部３６１−１および第２遮光部３６１−２が遮光部材３６の厚み方向に揃うため、遮光部材３６全体の高さを抑えることができる。
【００７９】
なお、図１８では、第１分割部材３６０−１および第２分割部材３６０−２の第１遮光部３６１−１および第２遮光部３６１−２それぞれにスリット３６１１ａ−１，３６１１ａ−２が形成される場合を示したが、第１遮光部３６１−１および第２遮光部３６１−２のうち、いずれか一方にのみスリット３６１１ａが形成されてもよい。
【００８０】
つまり、第１遮光部３６１−１および第２遮光部３６１−２のうち少なくとも一方の遮光部３６１が、他方の遮光部３６１と係合するスリット３６１１ａを有すればよい。
【００８１】
次に、図１９および図２０を用いて、第２の実施形態に係る遮光部材３６のカットオフ特性について説明する。図１９および図２０は、第２の実施形態に係る遮光部材３６のカットオフ特性を説明するための図である。図１９および図２０では、遮光部材３６を異なる方向から見た斜視図を示している。
【００８２】
具体的には、図１９では、遮光部材３６における第１遮光部３６１−２の延在方向から見た斜視図を示し、図２０では、図１９の方向に対して４５度回転させた位置から見た斜視図を示す。
【００８３】
図１９および図２０に示すように、遮光部材３６をいずれの方向から見た場合であっても、照射面１００は、第１遮光部３６１−１および第２遮光部３６１−２によって隠れて見えない。つまり、第２の実施形態に係る遮光部材３６は、見る方向に因らず照射面１００の光を遮光できるため、漏れ光を最小限に抑えることができる。従って、第２の実施形態に係る遮光部材３６によれば、グレアとしてユーザに不快感に与えることを抑えることができる。
【００８４】
上述してきたように、第１の実施形態および第２の実施形態に係る遮光部材３６は、複数の遮光部３６１と、連結部３６２とを備える。複数の遮光部３６１は、照明装置１の照射面１００に対して交差する方向に延在する遮光面３６１ａを有し、照射面１００の面方向に沿って所定の間隔Ｗで並列する。連結部３６２は、複数の遮光部３６１と一体であり、複数の遮光部３６１を連結する。これにより、遮光部材３６を１つの部品で構成できるため、部品点数を減らすことができる。
【００８５】
また、上記実施の形態により本発明が限定されるものではない。上述した各構成素を適宜組み合わせて構成したものも本発明に含まれる。また、さらなる効果や変形例は、当業者によって容易に導き出すことができる。よって、本発明のより広範な態様は、上記の実施の形態に限定されるものではなく、様々な変更が可能である。
【符号の説明】
【００８６】
１  照明装置、２  電源部、３  本体部、４  第１調整部、５  第２調整部、３１  筺体ユニット、３２  光源、３３  リフレクタ、３４  レンズ、３５  保護部材、３６  遮光部材、３７  カバー、３８  締結具、１００  照射面、３６０  分割部材、３６１  遮光部、３６１ａ  遮光面、３６２  連結部、３６２ａ  固定部、３６２ｂ  外周部
【図１】
2020107452.tif 000003
【図２】
2020107452.tif 000004
【図３】
2020107452.tif 000005
【図４】
2020107452.tif 000006
【図５】
2020107452.tif 000007
【図６】
2020107452.tif 000008
【図７】
2020107452.tif 000009
【図８】
2020107452.tif 000010
【図９】
2020107452.tif 000011
【図１０】
2020107452.tif 000012
【図１１】
2020107452.tif 000013
【図１２】
2020107452.tif 000014
【図１３】
2020107452.tif 000015
【図１４】
2020107452.tif 000016
【図１５】
2020107452.tif 000017
【図１６】
2020107452.tif 000018
【図１７】
2020107452.tif 000019
【図１８】
2020107452.tif 000020
【図１９】
2020107452.tif 000021
【図２０】
2020107452.tif 000022